(57)【要約】【課題】  騒音の発生を抑え、ゴムベルト同士の絡み合いもなく、篩網による選別有効面積の減少を抑えながら、篩網の全面に亘って満遍なく叩いて効果的に目詰りを防止することができる篩選別装置の提供。【解決手段】  被選別体の移動方向に延長した複数本のゴムベルト３が被選別体の移動方向と直交する方向に並列して篩網２２の上面に載置され、各ゴムベルトは、その延長方向と直交する断面形状が横幅Ｔ１よりも高さＴ２が大きい縦長断面形状に形成され、各ゴムベルト３は、その延長方向の途中１ヶ所又は複数ヶ所において連結ワイヤ４により連結され、その連結状態で前記縦長断面形状の姿勢を維持すると共に、隣り合うゴムベルト間に間隔Ｓを保持するように形成されている。【選択図】  図３
2010058022.tif 000002
【特許請求の範囲】
【請求項１】
起振装置（８）を備えた振動フレーム（１）内に篩網（２２）が張設され、前記篩網（２２）上に供給された被選別体を起振装置（８）による振動フレーム（１）の振動によって篩網（２２）上を移動させながら篩選別させるように形成された篩選別装置において、
被選別体の移動方向に延長した複数本のゴムベルト（３）が被選別体の移動方向と直交する方向に並列して前記篩網（２２）の上面に載置され、
かつ各ゴムベルト（３）は、その延長方向と直交する断面形状が横幅（Ｔ１）よりも高さ（Ｔ２）が大きい縦長断面形状に形成され、
かつ前記各ゴムベルト（３）は、その延長方向の途中１ヶ所又は複数ヶ所において、該ゴムベルト（３）の延長方向と直交する方向に延長した連結ワイヤ（４）により連結され、その連結状態で前記縦長断面形状の姿勢を維持すると共に、隣り合うゴムベルト（３），（３）間に間隔（Ｓ）を保持するように形成されていることを特徴とする篩選別装置。
【発明の詳細な説明】
【技術分野】
【０００１】
本発明は、被選別体（例えば、骨材や土砂等）を所定サイズに篩分けするための篩選別装置に関し、特に、篩網の目詰り防止技術に関する。
【背景技術】
【０００２】
従来、篩選別装置として、起振装置を備えた振動フレーム内に篩網が張設され、前記篩網上に供給された被選別体を起振装置による振動フレームの振動によって篩網上を移動させながら篩選別させるように形成された構造のものが知られている（特許文献１参照）。
【０００３】
このような篩選別装置では、被選別体が細粒分である場合、特に、その被選別体が含水状態にある場合には、篩網の網目に目詰りが生じ易く、篩選別作業に支障をきたしてしまうという問題があった。
【０００４】
従来、篩網の目詰り防止技術として、被選別体の移動方向に延長した複数本のチェーンが被選別体の移動方向と直交する方向に並列して前記篩網の上面に載置されたものが知られている（特許文献２参照）。
【０００５】
しかしながら、このようなチェーンを用いたのものでは、そのチェーンが多数のリングを連結して形成されたものであるため、チェーンが発するジャラジャラ音によって騒音が激しくなるという問題があった。
また、リングの穴に被選別体が詰まって固化したり、また、チェーンが絡み合ったりするという不具合により、選別能力や目詰り防止効果が低下してしまうという問題もあった。
また、それぞれのチェーンが個別に取付けられているため、偏りが生じ易く、叩く力も弱く、目詰り解消の効果が少ないし、またチェーンよって篩網の痛みが早くなるという問題があった。
【特許文献１】特開２００５−３０５２４８号公報
【特許文献２】登録実用新案第３０５０４５４号公報
【発明の開示】
【発明が解決しようとする課題】
【０００６】
本発明は、複数本のゴムベルトを篩網の上面に載置させるようにした目詰り防止技術であり、騒音の発生を抑えることができる共に、篩網を傷付けることが少なく、ゴムベルト同士の絡み合いもなく、また、篩網による選別有効面積の減少を極力抑えながら、篩網の全面に亘って満遍なく強い力で叩いて効果的に目詰りを防止することができるようにした篩選別装置を提供することを課題としている。
【課題を解決するための手段】
【０００７】
上記の課題を解決するために、本発明（請求項１）の篩選別装置は、
起振装置（８）を備えた振動フレーム（１）内に篩網（２２）が張設され、前記篩網（２２）上に供給された被選別体を起振装置（８）による振動フレーム（１）の振動によって篩網（２２）上を移動させながら篩選別させるように形成された篩選別装置において、
被選別体の移動方向に延長した複数本のゴムベルト（３）が被選別体の移動方向と直交する方向に並列して前記篩網（２２）の上面に載置され、
かつ各ゴムベルト（３）は、その延長方向と直交する断面形状が横幅（Ｔ１）よりも高さ（Ｔ２）が大きい縦長断面形状に形成され、
かつ前記各ゴムベルト（３）は、その延長方向の途中１ヶ所又は複数ヶ所において、該ゴムベルト（３）の延長方向と直交する方向に延長した連結ワイヤ（４）により連結され、その連結状態で前記縦長断面形状の姿勢を維持すると共に、隣り合うゴムベルト（３），（３）間に間隔（Ｓ）を保持するように形成されている構成とした。
【発明の効果】
【０００８】
本発明の篩選別装置（請求項１）は、被選別体の移動方向に延長した複数本のゴムベルトを被選別体の移動方向と直交する方向に並列して前記篩網の上面に載置させているため、従来のチェーンを用いた場合とは異なり、騒音の発生がないし、篩網を傷付けてしまうことがない。
【０００９】
特に本発明は、各ゴムベルトが縦長断面形状に形成され、かつ連結ワイヤによる連結状態でゴムベルトが縦長断面形状の姿勢を維持すると共に、隣り合うゴムベルト間に間隔を保持するように形成されている構成に特徴がある。
【００１０】
このようにゴムベルトを縦長断面形状に形成させたため、仮に、ゴムベルトを断面積同一で横長断形状に形成させた場合と比べて篩網を覆う面積が少なくなる。
従って、篩網による選別有効面積の減少を極力抑えることができるし、篩網を叩く強さも維持できる。
【００１１】
また、各ゴムベルトを連結ワイヤによって連結させているため、各ゴムベルトの倒れを防止させて縦長断面形状の姿勢を維持させることができる。
横長断面形状ではゴムベルトが寝た状態になり、叩く力が弱いという問題があるが、本発明のようにゴムベルトを立てたことによって叩く力を大きくすることができる。
又、隣り合うゴムベルト間に間隔を保持するように連結させているため、ゴムベルト同士が絡み合ったり、片寄ったりすることがなくなり、篩網の全面に亘ってゴムベルトを展開載置させることができる。これにより、篩網の全面に亘って満遍なくゴムベルトで叩くことができ、効果的に目詰りを防止させることができる。
【発明を実施するための最良の形態】
【００１２】
図１は本発明実施例の篩選別装置の振動フレーム内を示す断面図、図２は図１のＡ−Ａ断面図、図３は図２のＢ−Ｂ断面図、図４は篩選別装置の全体概略図である。
【００１３】
図において、１は振動フレームで、被選別体の投入側となる前壁板１０と、両側壁板１１，１１によって３方が囲まれ、被選別体の排出側となる後面及び上下面が開放したフレーム構造になっている。
また、振動フレーム１は、図４に示すように、ベースフレーム９０にコイルバネ９１を介して弾性支持されると共に、モータ（図示省略）に連結された回転軸８０に偏心ウエイト８１を取付けた起振装置８が上部に設けられている。
【００１４】
振動フレーム１の内部には、上下方向３段に篩網２０、２１、２２が張設され、各篩網の篩目寸法は、上段篩網２０（例えば、篩目寸法２０ｍｍ）よりも中段篩網２１（例えば、篩目寸法１３ｍｍ）が小さく、中段篩網２１よりも下段篩網２２（例えば、篩目寸法５ｍｍ）が小さく形成されている。
従って、振動フレーム１に投入された被選別体は、起振装置８による振動フレーム１の振動によって篩網２０、２１、２２上を排出側に向けて移動しながら順次に篩選別される。
【００１５】
この実施例では、まず、投入された被選別体は上段篩網２０により篩選別され、篩目寸法２０ｍｍ以上の被選別体が上段排出口２０ａから排出され、篩目寸法２０ｍｍ以下の被選別体が上段篩網２０を通過して中段篩網２１に落下供給される。
次に、被選別体は同様にして中段篩網２１により篩選別され、篩目寸法２０〜１３ｍｍの被選別体が中段排出口２１ａから排出され、篩目寸法１３ｍｍ以下の被選別体が中段篩網２１を通過して下段篩網２２に落下供給される。
更に、同様にして下段篩網２２により篩選別され、篩目寸法１３〜５ｍｍの被選別体が下段排出口２２ａから排出され、篩目寸法５ｍｍ以下の被選別体が下段篩網２２を通過して落下排出される。
【００１６】
なお、前記下段篩網２２の下方には、図３に示すように、振動フレーム１の両側壁板１１，１１間に架設した複数の支持体１２上に支持板１３が取付けられ、この支持板１３によって下段篩網２２の下面を支持する篩網支持構造に形成されている。
前記上段篩網２０及び中段篩網２１も同様の篩網支持構造に形成されている。
【００１７】
前記下段篩網２２の上面には、被選別体の移動方向（図１：矢印Ｍ方向）に延長した複数本のゴムベルト３が被選別体の移動方向と直交する方向（図２：矢印Ｎ方向）に並列して載置されている。
実施例では、１７本のゴムベルト３を用い、各ゴムベルト３の基端を振動フレーム１の前壁板１０の内面に取付けたブラケット３０に一定のピッチ（７０〜１００ｍｍ）で取付け、また、ゴムベルト３の先端が下段篩網２２を越えて下段排出口２２ａに至るように延長させることで、下段篩網２２の全面に亘ってゴムベルト３が載置するように形成させている。
【００１８】
前記各ゴムベルト３は、図３に示すように、その延長方向と直交する断面形状が、横幅Ｔ１よりも高さＴ２が大きい縦長断面形状に形成されている。
この実施例では、横幅Ｔ１を７〜１０ｍｍとし、高さＴ２を４０〜６０ｍｍとした縦長方形断面形状に形成しているが、上辺横幅よりも底辺横幅を長く形成した縦長台形断面形状や縦長三角形断面形状に形成することもできる。
【００１９】
前記各ゴムベルト３は、その延長方向の途中１ヶ所又は複数ヶ所（実施例では２ヶ所）において、該ゴムベルト３の延長方向と直交する方向に延長した連結ワイヤ４により連結され、その連結状態で前記縦長断面形状の姿勢を維持すると共に、隣り合うゴムベルト３，３間に間隔Ｓを保持するように形成されている。
この場合、前記連結ワイヤ４は、若干の垂み代を持つように、その両端が振動フレーム１の側壁板１１，１１に止め付けられ、かつ前記ゴムベルト３の厚み（横幅Ｔ１）を貫通した状態でワイヤクリップ等の留め具４０によって各ゴムベルト３を固定させている。
【００２０】
本実施例の篩選別装置は、以上のように、目詰りを防止させるための手段としてゴムベルト３を用いているため、従来のチェーンを用いた場合のような騒音の発生がない。
【００２１】
また、ゴムベルト３を縦長断面形状に形成させたため、仮に、ゴムベルトを断面積同一で横長断形状に形成させた場合と比べて篩網２２を覆う面積が少なくなり、よって、篩網２２による選別有効面積の減少を抑えることができるし、篩網２２を叩く強さも維持できる。
【００２２】
また、各ゴムベルト３を連結ワイヤ４によって連結させたことによって、各ゴムベルト３の倒れを防止させて縦長断面形状の姿勢を維持させることができるし、隣り合うゴムベルト３，３間に間隔Ｓを保持するように連結させているため、ゴムベルト３，３同士が絡み合ったり、片寄ったりすることがなくなり、篩網２２の全面に亘って複数のゴムベルト３を並列状態で展開載置させることができる。これにより、篩網２２の全面に亘って満遍なくゴムベルト３で叩くことができ、効果的に目詰りを防止させることができる。
【００２３】
なお、本発明において、ゴムベルトの本数及び並列ピッチ、縦断面形状の横幅及び高さ、連結ワイヤによる連結位置及び数は適宜に決定できる。
また、実施例では篩網を水平に張設したが、篩網を排出側に向って下向きに傾斜させて張設させることができるし、篩網と共に振動フレーム全体を排出側に向う下向き傾斜に配設することができるし、篩網の支持構造についても従来知られている支持構造を用いることができる。
また、篩網の段数を１段にした場合は、当該篩網に対して本発明の目詰り防止技術を適用するが、２段以上の複数段にした場合、その全ての篩網又は一部（例えば、最下段のみ）の篩網に対して本発明の目詰り防止技術を適用することができる。
【図面の簡単な説明】
【００２４】
【図１】本発明実施例の篩選別装置の振動フレーム内を示す断面図
【図２】図１のＡ−Ａ断面図
【図３】図２のＢ−Ｂ断面図
【図４】本発明実施例の篩選別装置の全体概略図
【符号の説明】
【００２５】
１  振動フレーム
３  ゴムベルト
４  連結ワイヤ
８  起振装置
２０  上段篩網
２１  中段篩網
２２  下段篩網
Ｓ  間隔
Ｔ１  横幅
Ｔ２  高さ
【図１】
2010058022.tif 000003
【図２】
2010058022.tif 000004
【図３】
2010058022.tif 000005
【図４】
2010058022.tif 000006